(57)【要約】【課題】第１の方向と第２の方向に表示部を備えた表示部を開閉可能なテレビ受信機能付き携帯電話機において、第２の方向に開いた場合にテンキーなどの操作部の表記を第２の方向に合わせた状態に切り替える。【解決手段】操作部を備えた第一筐体１の内部に、操作部のキーの内容を表示するスライドシート１３を第一筐体１にとりつけられたキートップシートと枠部とプッシャーシートに囲まれた空間の中に配置し、連結部３に設けられた回動軸の動きによってスライド可能にしておき、第二筐体２を第１の方向に開閉すると回動軸に連動して回転することを利用して、スライドシート１３をスライドさせることで、電話用の数字配列からテレビのチャンネル選択用の数字配列へ切り替え、さらに表示部を備えた第二筐体の開閉した方向に合わせた表示に切り替えるよう構成した。【選択図】図６
2009200666.tif 000002
【特許請求の範囲】
【請求項１】
操作部を備えた第一筐体と
表示部を備えた第二筐体と、
前記第一筐体と前記第二筐体を連結する連結部と、を備えた折り畳み式携帯端末装置において、
前記連結部は、
前記第一筐体に対して前記第二筐体を第一の方向に開閉する第一回動軸部材と、
前記第一回動軸部材に連動して回転するように取り付けた第一回転体と、
前記第一回転体と隣接して配置された第二回転体と、を備え、
前記第一回転体には前記第二回転体と対向する面に第一突起部を備え、
前記第二回転体には前記第一回転体と対向する面に第二突起部を備え、
前記操作部は、
前記第二回転体に固定したキーシートを備え、
前記第一筐体と前記第二筐体の開閉角度が第一角度と第二角度との間において、前記第一突起部が前記第二突起部を付勢して前記第一回転体と前記第二回転体が共回動することにより、前記第二回転体に固定したキーシートを前記操作部で移動するようにしたことを特徴とする携帯端末装置。
【請求項２】
前記第一突起部と前記第二突起部が共回動する状態から共回動しない状態に変化する際に、第一突起部が第二突起部を乗り越えることを特徴とする請求項１記載の携帯端末装置。
【請求項３】
前記第一角度は前記第二角度よりも大きく、
前記第一突起部と前記第二突起部は、前記第一筐体と前記第二筐体の開閉角度が
前記第一角度よりも大きい角度および前記第二角度よりも小さい角度においては、
当接せず、前記第二回転体は回動しないことを特徴とする請求項１記載の携帯端末装置。
【請求項４】
前記第一角度および第二角度はいずれも鋭角であることを特徴とする請求項１記載の携帯端末装置。
【請求項５】
前記キーシートは、前記第二回転体が回転すると当該第二回転体の外周の接線方向へ移動するよう固定されていることを特徴とする請求項１記載の携帯端末装置。
【請求項６】
前記第一回転体に対して、前記第一回動軸部材の軸方向に隣接配置された弾性部材と、当該弾性部材に取付けられた抜け止め部材と、
を備えたことを特徴とする請求項１記載の携帯端末装置。
【請求項７】
前記第一筐体の内部において、前記キーシートが移動する方向に係止部を備え、
前記キーシートが前記第二筐体を開閉させた際に、前記第一回動軸部材が回動することにより前記第二回転体が所定の角度だけ回動すると、当該キーシートは前記係止部により移動が規制され、前記第二回転体に加わる回動方向の負荷を前記第一回転体の軸方向に逃がすために、前記第一回転体に設けられた第一突起部が前記第二回転体に設けられた第二突起部を乗り越えることを特徴とする請求項１記載の携帯端末装置。
【請求項８】
前記第一回動軸部材と直交する第二の方向に前記第二筐体を開閉する第二回動軸部材を備えたことを特徴とする請求項１記載の携帯端末装置。
【請求項９】
前記キーシートの表面には、前記第二回転体の回転方向を上下として印字された第一文字群と、当該第一印字群とは異なる方向を上下として印字された第二文字群とを構成することを特徴とする請求項１記載の携帯端末装置。
【請求項１０】
前記第二回転体には、前記第二突起部と所定の間隔をおいてさらに第三突起部を備え、
前記第二筐体が前記第一筐体に対して最大角度まで開いた状態において、当該第三突起部と前記第一突起部が当接するとともに、前記弾性部材により第一突起部が第三突起部を付勢することを特徴とする請求項１記載の携帯端末装置。
【請求項１１】
前記第二回転体には、前記第二突起部と所定の間隔をおいてさらに第四突起部を備え、
前記第二筐体が前記第一筐体に対して閉じた状態において、当該第四突起部と前記第一突起部が当接するとともに、前記弾性部材が第一突起部および第四突起部に付勢することを特徴とする請求項１記載の携帯端末装置。
【発明の詳細な説明】
【技術分野】
【０００１】
本発明は、２つの筐体を開閉可能に連結した折り畳み式携帯端末装置に関する。
【背景技術】
【０００２】
２つの筐体が重なりあうように連結した折り畳み式携帯電話機では、ユーザーは、折り畳み式携帯電話機を、連結部を中心として第一の方向に開いた状態で、テンキーなどの操作部を備えた第一筐体を手に持ち、表示部を備えた第二筐体を見るという使い方が一般的である。
【０００３】
ところが最近、テレビジョン放送を受信して表示する携帯電話機が実用化され、普及し始めている。横長のテレビジョン放送画面を見るには、表示部を第２の方向に回転させたほうが見やすいことが知られている。そのため、表示部を備えた第二筐体を該筐体の端部に備えられた回動軸まわりで第２の方向に機械的に回転させるとともに、表示部の方向を第１の方向から第２の方向に切り替える構造が提案されている（例えば、特許文献１参照）。
【０００４】
従来から提案されている折り畳み式携帯電話機の一例を図１７と図１８に示す。図１７の携帯電話機６０は、操作部７１を有する第一筐体６１と、表示部７２を有する第二筐体６２と、連結部６３の３つの筐体で構成されている。そして、第一筐体６１に設けた第一回動軸６１ａは連結部６３を矢印Ａ方向に回動自在に支持している。連結部６３を第１の方向（図中の矢印Ａ方向）に回動することにより、第一筐体６１に対して第二筐体６２を第１の方向に開くことができる。また、連結部６３には第二回動軸６３ａが設けてあり、第二筐体６２を第２の方向（図中の矢印B方向）に回動自在に支持している。このため、携帯電話機６０は、最終的に図１８に示すように第二筐体６２の表示部７２を第２の方向に開いた形で使用することができる。
【０００５】
図１８のように、第二筐体６２を第２の方向（図中の矢印Ｂ方向）に開き、表示部７２を横長にしたときに、テンキーなどの操作部７１の配列と向きがテレビ放送を見るための配列と同じ向きに変わると便利である。その方法として、操作部を液晶表示付きのタッチパネルにして、表示部７２の向きが変わった都度、液晶表示のキー配列と向きを変えることが考えられる。しかし、電源が入っていない状態で、筐体の開閉を行なうと、最適な文字入力方向で表示しないことが考えられる（例えば、特許文献２参照）。
【０００６】
なお、他の従来例として、キートップと、各キーのキー機能表示を外部から確認可能に表示したキー機能表示部を備えた電子機器のキー構造において、キー機能表示部は、キートップとの相対位置が変更可能であり、外部から確認可能なキー機能表示が、相対位置の変更に従って切り替わることを特徴とする電子機器のキー構造が知られている（例えば、特許文献３参照）。
【０００７】
図１９に上記従来の電子機器の正面概略図を示し、図２０に図１９のＣ−Ｃで断面にしたキートップ９１とキー機能表示板８４の部分断面を示す。図１９において、キーボード９０は下筐体８１の上を左右にスライドする。キーボード９０の左右の動きは、キーボード９０の右端に設けた導電体９３がスライドしたときに、下筐体８１の２つの端子８３に導通することにより検出する。キーボード９０が一方にセットされたときは英字入力を、キーボード９０が他方にセットされたときは平仮名入力をそれぞれ行なうことができる。
【０００８】
図１９に示すように、キーボード９０のキー９１ａは中央部に透明部９１ｂを備える。さらに図２０に示すように、キー９１ａの下面は、キー機能表示板８４の上面８４ａとスライド可能に面接触している。キー機能表示板８４の下端は電子機器８０本体の下筐体８１に垂直に固定され、途中で段階的に折れ曲がることで、文字を印刷した上面８４ａでは水平になっている。ここで、上面８４ａには、平仮名表示と英字表示とを一文字ずつ、交互に一定幅離して並べた形で印刷している。前記一定幅はキーボード９０のスライドストロークに等しい。また、透明部９１ｂの大きさは、キー機能表示板８４の文字表示よりやや大きい程度であり、二つの文字が透明部９１ｂから透けて見えることはない。キーボード９０を図１９でいう右あるいは左に寄せると、透明部９１ｂから透けて見える表示内容が平仮名表示か英字表示かに切り替わる。上記のキー構造であれば、電子機器８０本体の電源が入っていなくても、キー機能表示板の表示内容を切り替えることができる。
【特許文献１】特開２００６−２２８９９号公報
【特許文献２】特開２００１−２９６９５８号公報
【特許文献３】特開２００２−７０３４号公報
【発明の開示】
【発明が解決しようとする課題】
【０００９】
本発明は、携帯電話機、ゲーム機やテレビ受信機能をもったＰＤＡ（Ｐｅｒｓｏｎａｌ  Ｄｉｇｉｔａｌ  Ａｓｓｉｓｔａｎｔｓ）など、特に、２つの回動軸を備え第１の方向と第２の方向に開閉可能に連結した連結部を備えた折り畳み式携帯端末装置で、第二筐体を折り畳んだ状態から連結部の回動軸を回動させて開く際に、テンキーなどの操作部に印字された文字を、液晶などの表示器の向きに合わせて変更することを第一の課題としている。
【００１０】
そして、電源が入っていなくても、テンキーなどの操作部に印字された文字を、液晶などの表示器の向きに合わせて切り替えることができる使い勝手の良い携帯端末装置を実現することを第二の課題としている。
【００１１】
さらに上記、表示器の向きにあわせて変更することを、使用者が意図的に操作を行わなくても第１の筐体に対して第２の筐体を開閉させることにより、実現できることを第三の課題としている。
【００１２】
また本発明は、第１の筐体に対する第２の筐体の開閉動作を利用して、操作部の各キーに対応する複数の文字配列を印刷したキーシートを機械的にスライドさせて、表示する文字配列を変えるが、キーシートに何らかの負荷がかかってスライドしにくいときに、キーシートの破損などの問題が生じないようにすることを第四の課題としている。
【課題を解決するための手段】
【００１３】
本発明は、操作部を備えた第一筐体と表示部を備えた第二筐体と、第一筐体と第二筐体を連結する連結部とを備えた折り畳み式携帯端末装置において、連結部は、第一筐体に対して第二筐体を第一の方向に開閉する第一回動軸部材と、第一回動軸部材に連動して回転するように取り付けた第一回転体と、第一回転体と隣接して配置された第二回転体とを備え、第一回転体には第二回転体と対向する面に第一突起部を備え、第二回転体には第一回転体と対向する面に第二突起部を備え、操作部は、第二回転体に固定されたキーシートを備え、第一筐体と第二筐体の開閉角度が第一角度と第二角度との間において、第一突起部が第二突起部を付勢して、第一回転体と第二回転体が共回動することにより、第二回転体に固定したキーシートを操作部で移動するようにしている。
【００１４】
この構成により、第一筐体と第二筐体の開閉角度が第一角度と第二角度との間においてキーシートが所定量だけ移動するので、第一筐体の操作部にはキーシートに印字された文字配列に対して移動量に応じた文字配列を選択的に外部から視認できるようにしている。
【００１５】
また本発明は、第２の方向に第二筐体を開閉する第二回動軸部材を連結部に備えた構成を採用している。このことにより、第一筐体に対して第二筐体を第１の方向に回動したときと、第一筐体に対して第二筐体を第２の方向に回動したときとで、第一筐体の操作部に設けた表示窓に、キーシートに記載された二つ文字配列を選択的に表示する。
【００１６】
この構成により、第一筐体に対して、連結部と第二筐体を回動することによって、操作部のキー配列と表示の向きを第二筐体の表示面に対して正しく切り替えることができる。
【００１７】
また、本発明は、第一筐体内に設けた第一回動軸と連動して回転する第一回転体と第二回転体の間に一定以上の回転力が伝達しないように、一定以上の回転力が加えられた場合は、共回動していた第一回転体に設けられた第一突起部により、第一回転体が第二回転体に設けられた第二突起部を乗り越えるようにしている。
【００１８】
この構成により、第二回転体に固定されたキーシートを動作させる場合には一定以上の力はかからず、キーシートが破損することがない。
【００１９】
また本発明は、連結部内に設けた第一回動軸と連動して回転する第一回転体と対向する第二回転体の面にストッパ部である第三突起部を設けて、連結部を第一筐体に対して開ききった際にはストッパ部である第三突起部に第一突起部が加圧しながら接触することでキーシートが動かないように静止させている。
【００２０】
この構成により、キーシートの静止位置がふらつかず、第一回動軸の回転に応じて安定した表示を行なうことが出来る。
【００２１】
また本発明は、連結部内に設けた第一回動軸と連動して回転する第一回転体と対向する第二回転体の面にストッパ部である第四突起部を設けて、第二筐体を第一筐体に対して閉じた際に第二回転体に設けられたストッパ部である第四突起部に第一回転体に設けられた第一突起部が加圧しながら接触することでキーシートが動かないように静止させている。
【００２２】
この構成により、連結部が閉じた状態でキーシートの静止位置がふらつかないようにしている。
【発明の効果】
【００２３】
本発明によれば、携帯電話機、ゲーム機やテレビ受信機能をもったＰＤＡなど、２つの回動軸を備え第１の方向と第２の方向に開閉可能に構成した折り畳み式携帯端末装置において、第二筐体を折り畳んだ状態から連結部の回動軸を回動させることにより、テンキーなどの操作部に印字された文字を、液晶などの表示器の向きに合わせて変更することができる。
【００２４】
本発明は、切り替えを機械的に行なうため、携帯端末装置に電源が入っていないときに第一筐体に対して第二筐体の表示面を第１の方向、あるいは第２の方向に回動させることにより、テンキーなどの操作部に印字された文字を、第二筐体に備えられた液晶などの表示器の向きに合わせて切り替えることができる。
【００２５】
また、テンキーなどの操作部に印字された文字を表示器の向きにあわせて変更することを、使用者が意図的に操作を行わなくても、第一筐体に対して第二筐体を開閉させることで実現している。
【００２６】
そして本発明は、第一回転体と第二回転体の間に一定以上の力が伝わらないようにするため、一定以上の力が加わった場合は、第一回転体に設けられた第一突起部が第二回転体に設けられた第二突起部を乗り越えるようにしている。
【００２７】
この構成により、キーシートに一定以上の力がかからず、キーシートの破損を防ぐという効果がある。
【発明を実施するための最良の形態】
【００２８】
（実施の形態１）
図１は、本発明の実施の形態１に係る折り畳み式携帯電話機１００について、第二筐体２を第一回動軸９を中心として長手方向に開く方向を第１の方向（図中矢印A）とした場合の開いた状態を斜視図として示したものである。操作部５１を備えた第一筐体１は、図示しない軸受部で、第一回動軸９を回転可能に支持している。連結部３は軸保持部３ａ、３ｂにより第一回動軸９を連結部３に固定している。連結部３の片隅には、破線で示す第二回動軸１０が第一回動軸９に直交するように設けてあり、第二回動軸１０には第二筐体２が回動自在に取り付けられている。第二筐体２には表示部５２を設けている。
【００２９】
このように、折り畳み式携帯電話機１００では、第二筐体２を第一筐体１に対して第１の方向に開くと、操作部５１のテンキーの数字については、電話機として使えるように、規格で定められた電話機用のテンキー配列で、第１の方向を上下とする向きで表示される。
【００３０】
図２は、本発明の実施の形態１に係る折り畳み式携帯電話機１００の第二筐体２を第二回転軸を中心として短手方向に開く方向を第２の方向（図中矢印Ｂ）とした場合の開いた状態を斜視図として示したものである。各部分の配置は図１と同じである。なお、第一筐体１に対して連結部３は閉じている。このとき、操作部５１のテンキーの数字については、テレビ受信機として使いやすいように、第一列目は左から「１」、「２」、「３」、「４」と並んでいる。第二列目は左から「５」、「６」、「７」、「８」と並んでいる。そして、第三列目は「９」、「１０」、「１１」、「１２」と並んでいる。数字の向きも筐体の第２の方向を上下とする向きで表示される。
【００３１】
折り畳み式携帯電話機１００では、第二筐体２が第一筐体１に対して第１の方向に開いた場合、第２の方向に開いた場合、それぞれにおいて、液晶表示部の表示の向きに適した向きに操作部５１の印字文字が見えるようにしている。以下に、その構成について詳細に説明する。
【００３２】
図３は、操作部５１の要部についての分解斜視図である。図３に示すように、キーシート１３には、その表面に数字等のキー内容を印刷している。テンキー用の「１」から「♯」までの数字が１４ａ、１４ｂ、１４ｃというように並んで印刷されている。また、テレビチャンネル用の数字が、１５ａ、１５ｂ、１５ｃというようにテンキー用の数字と交互に並んで印字されている。テンキー用の数字（第１印字群）の向きは第二筐体２の第１の方向を上下とする向きに、テレビチャンネル用の数字（第２印字群）は第２の方向の向きに９０度、角度を変えて印刷されている。キーシート１３は、薄いが、座屈しない程度の剛性を有するプラスチックシートでできている。そして、図３に示すように、一端に取り付け部１３ａを凸状に形成している。なお、取り付け部１３ａの先端は、ドラム７（第二回転体）の外周面に取り付けるようにしている。
【００３３】
図３のキーシート１３の周囲には枠部６、裏面側（印字面と反対面）にはプッシャーシート１９を配置している。枠部６は、キーシート１３の動きを規制するためにキーシートの周囲を囲むように設けられる。枠部６のうち、移動方向と垂直方向に構成された一辺である第１係止部６ｂあるいは第２係止部６ｃは、キーシートが所定量だけ移動すると当該いずれかの係止部に当接することで、移動を規制している。
【００３４】
なお、本実施例では、キーシート１３の移動を枠部の一部で規制するよう構成しているが、これに限定するものではなく、枠部とは別個に、突起部などをキーシート１３が移動する方向に設けて規制するようにしてもよい。
【００３５】
枠部６の下面には、段差部６ａを設けて枠部６の肉厚を薄くして、上述したキーシート１３の取り付け部１３ａが通るようにしている。枠部６の下面には、キーのクリック感を向上させるためにプッシャーシート１９を貼着して固定する。
【００３６】
なお、キーシート１３は、枠部６の下面にプッシャーシート１９を貼着して固定した状態で、プッシャーシート１９の上に置き、キーシート１３の一端に形成した取り付け部１３ａを枠部の段差部６ａとプッシャーシート１９との隙間に通して、取り付け部１３ａをドラム７に取り付ける。なお、取り付け方法としては、予めドラム７に溝を切っておいて、キーシート１３の取り付け部１３ａを溝に挟み込むようにしても良いし、両面接着テープで貼り付けても良い。図４に、キーシートを枠体６に組み込んだ状態の斜視図を示し、図５に断面図を示す。
【００３７】
図３に戻って、キーシート１３の表面側には、プラスチック部材等で構成されたキートップシート１６が重ねられる。キートップシート１６は、キーシート１３のうち第１印字群あるいは第２印字群のみの印刷が見えるよう、１つの印字群の印字の大きさおよび印字間隔で表示窓１６ａを構成し、残り部分１６ｂを不透明に構成している。キートップシート１６は、枠部６の上面に貼着され固定される。キートップシート１６と枠部６とプッシャーシート１９により密閉された空間の中で、キーシート１３がスライドする。
【００３８】
ドラム７は後述するように、第一回動軸９に取付けられるカム８に対向し、第一回動軸９の所定角度範囲内において追従して動く。そして、キーシート１３は、枠部６とプッシャーシート１９とキートップシート１６で形成された空間内で、第一回動軸９の回動に追従して所定量だけスライドする。
【００３９】
図３において、枠部６とプッシャーシート１９の下方には、ダイヤフラム５と、キー回路基板４が配置される。ダイヤフラム５はキーシート１３に印刷された数字および文字よりも少ない数だけ配置されている。ダイヤフラム５は上から押されると中央部がへこんで、中央部と重なり合う位置に設けた接点がキー回路基板４上のキー用接点回路と接して電気的に導通させて、押されたことを感知するようにしている。
【００４０】
本発明の実施の形態１に係る折り畳み式携帯電話機１００のキーシートの動きについて説明する。ドラム７の中心には図示しない軸受穴があいていて、第一回動軸９に回動自在に支持されている。ドラム７にはカム８（第一回転体）が対向して配置されている。カム８は第一回動軸９に対して、第一回動軸９の軸方向にはスライドするが、回転方向には動かないよう係合されて、第一回動軸９と連動して回転する。カム８はドラム７と対向するように第一回動軸９の軸方向に図示しない押圧手段で押圧されている。
【００４１】
第一回動軸９が回動すると、第一回動軸９に固定されているカム８が回転し、カム８に設けられた第一突起部がドラム７に設けられた第二突起部と係合して、ドラム７を回転させる。そしてドラム７が回転し、キーシート１３をスライドさせる。キーシート１３は、第一回動軸９が所定の角度まで回転すると、枠部６のうち移動方向と垂直方向に構成された一辺である第１係止部６ｂあるいは第２係止部６ｃに当接して移動が規制される。さらに第一回動軸９を回転させると、ドラム７はキーシート１３が剛性により突っ張る方向に力が働くため回転しにくくなり、ドラム７に対して回転方向へかかる力を、第一回動軸９の軸方向へと逃がすために、カム８に設けられた第一突起部８ａがドラム７に設けられた第二突起部７ｃを乗り越えることにより、それ以上の回転力をドラム７に伝えないようにしている。
【００４２】
図６に、本発明の実施の形態１に係る折り畳み式携帯電話機１００の第二筐体２を第１の方向に開いていくときのカム８とドラム７の関係を示す。図６（ａ）は、折り畳み式携帯電話機１００の第二筐体２を第１の方向（図中矢印Ａ）に開いていく概念図を示す。折り畳み式携帯電話機１００では、第一筐体１に対して第二筐体２が重なり合う閉じた状態を「カム回転角Θ、０度」として、当該第一筐体１に対して第二筐体２が開いて、その挟角が最大１６０度まで開くものとして説明する。
【００４３】
折り畳み式携帯電話機１００では第二筐体２が、閉じた状態（カム回転角Θ、０度）から第一回動軸９を中心に回転を始め、カム回転角Θが２０度に達するとカム８の突起８ａ（第一突起部）がドラム７の突起７ｃ（第二突起部）と接触しドラム７がカム８と共に回転を始める。ドラム７が回転すると、ドラム７に取り付けてあるキーシート１３がスライドする。さらに第一回動軸９を中心として回転しカム回転角Θが５０度に達すると、キーシート１３のスライド量は所定量に達する。さらに第一回動軸９を中心として回転させていくと、キーシート１３が枠部６に設けられた第１係止部６ｂと接触するため、回転させる際の動作に負荷がかかり始める。そこでキーシート１３に力が加わり始めると、カム８に設けられた突起８ａがドラム７の突起７ｃを乗り越えて回転する。カム回転角Θが５０度を過ぎると、第二筐体２の第一回動軸を中心として回転するのはカム８のみとなり、キーシート１３は静止したままとなる。カム回転角Θが１６０度に達すると、カム８に設けられた突起８ａがドラム７に設けられたストッパ突起７ｄ（第三突起部）に乗り上げた状態になり、カム８が停止する。
【００４４】
図６（ｂ）は、カム８とドラム７の上記の動きの中の代表的な６つの姿を示している。すなわち、＜ｂ−１＞の状態は、第二筐体２が閉じていて、駆動側であるカム８がまだ回転しておらず、カム回転角Θが０度の状態を示している。このとき、カム８のカム突起８ａは、ドラム７のストッパ突起７ｂ（第四突起部）の傾斜の途中で係止している。
【００４５】
これは、ドラム７に固定されているキーシート１３が枠部６に設けられた第２係止部６ｃによって原点位置（第２係止部６ｃに当接した状態）において、さらにキーシート１３が落下などの外力により動くことを防ぐためにキーシート１３を枠部６に設けられた第２係止部６ｃに押し当てているためである。
【００４６】
そこで、カム突起８ａでドラム７のストッパ突起７ｂを押すが、ドラム７の位置はキーシート１３が枠部６に設けられた第２係止部６ｃに当たっているため、回転位置が所定の位置に決まる。そのため、ドラム７のストッパ突起７ｂの傾斜によりカム突起８ａはストッパ突起７ｂの傾斜上を滑りながら動く。しかしながら、カム８は第一回動軸の方向に押圧されている力が存在し、傾斜途中で摩擦力とのバランスが取れた位置で係止することになる。従動側のドラム７は回転しないので、キーシート１３は原点の位置で静止している。
【００４７】
＜ｂ−２＞の状態は、駆動側であるカム８が回転開始したばかりで、カム回転角Θが２０度に満たないときの状態を示す。このとき、カム８のカム突起８ａは、ドラム７の突起７ｃにまだ接触していないためカム８だけが回転する。
【００４８】
＜ｂ−３＞の状態は、駆動側であるカム８が回転して、カム回転角Θが２０度になった状態を示す。カム８のカム突起８ａはドラム７の突起７ｃに当接している。
【００４９】
＜ｂ−４＞の状態は、駆動側であるカム８がドラム７を押しながら回転している状態で、カム回転角Θが５０度に満たないときの状態を示す。カム回転角Θが２０度を超えて回転動作が続くと、駆動側のカム８に設けられたカム突起８ａがドラム７の突起７ｃを押すことにより、カム８の回転に従って、ドラム７も回転する。
【００５０】
＜ｂ−５＞の状態は、駆動側であるカム８のカム回転角Θが５０度に達して、カム８のカム突起８ａがドラム７の突起７ｃを乗り越えたときの状態を示す。カム８のカム回転角Θが５０度に達すると、キーシート１３は枠部６に設けられた第１係止部６ｂによって開いたときに必要な所定量を動き、停止する。さらに、カム８のカム回転角Θが大きくなる方向に動いていくと、次第にキーシート１３に負荷が加わっていく。そのため、キーシート１３に想定している以上の力が加わる前に回転させるために働いている力を逃がして、キーシートに１３に想定以上の力が加わらないようにする必要がある。
【００５１】
本構造では、カム８がドラム７を回転させるための力が所定の力以上に大きくなると、ドラム７を回転させるために突起７ｃを押している力の反力が大きくなることを利用する。これにより、ドラム７は、カム８に対してカム８に働いている押圧方向の反対方向に動こうとする。しかしながらドラム７の底部の位置はすでに決まっているために動くことができない。そのため、相対的にカム８を押し上げることなる。その力がカム８に働いている押圧力よりも大きくなると、カム８は第一回動軸９の軸方向で押圧されていた方向とは逆の方向に突起７ｃの傾斜を滑りながら動き始めることになる。
【００５２】
そして、所定の力以上になると、突起７ｃの傾斜頂点を越えることになる。すると今度は、ドラム７を回転させるために働いていた力が突起７ｃに対して働かなくなる。そのため、カム８に働いていた押圧方向の力が解放される方向に働くため、カム８は突起７ｃの傾斜を下方向へ移動し、カム８は傾斜の所定位置まで下がることになる。
【００５３】
その後、カム８をさらに回転させた場合、カム８は、ドラム７の突起から離れる方向に動くため、ドラム７の動きは止まるが、カム８は回転を続けることになる。
【００５４】
＜ｂ−６＞の状態は、駆動側であるカム８のカム回転角Θが１６０度に達して、カム突起８ａがドラム７のストッパ突起７ｄに乗り上げて止まった状態を示している。このカム８のカム突起８ａがストッパ突起７ｄに乗り上げて止まっている状態とは、既に説明した＜ｂ−１＞の状態と同様に、カム８のカム突起８ａがドラム７の回転を止めている状態であり、従動側のドラム７は回転しないので、キーシート１３は静止している。
【００５５】
以上説明したように、本発明は、カム８の回転角、即ちカム回転角Θが２０度から５０度という範囲だけ、ドラム７を回転させる。そのため、ドラム７に取り付けてあるキーシート１３は、ドラム７がカム回転角Θ２０度から５０度までの、３０度の円弧分だけスライドすることになる。言い換えれば、キーシート１３は、第一回動軸９が回転しはじめてカム回転角Θが２０度になったときからスライドを開始し、第一回動軸９のカム回転角Θが５０度になったときにスライドを停止する。また、キーシート１３のスライド量は、複数の印字群を印刷したピッチと同じにしてある。
【００５６】
図７に、本発明の実施の形態１に係る折り畳み式携帯電話機１００の第二筐体２を第１の方向に開いていくときの「カム回転角Θ」、「セット状態」「キーシートの位置」、「カムとドラムの位置」の関係を一覧表にして示す。なお、一覧表の一行毎に、左から右へ、一つのカム回転角Θと、対応するセット状態、キーシートの位置、カムとドラムの位置を示している。動作内容は上述した内容と同じなので説明を省略する。
【００５７】
図８に、本発明の実施の形態１に係る折り畳み式携帯電話機１００の第二筐体２を第１の方向で閉じていくときのカム８とドラム７の関係を示す。図８（ａ）は、折り畳み式携帯電話機１００の第二筐体２を第１の方向（図中矢印Ａ’）に閉じていく際の概念図を示す。図８（ｂ）は、カム８とドラム７の代表的な６つの姿を示している。
【００５８】
すなわち、＜ｂ−７＞の状態は、第二筐体２が全開状態、駆動側であるカム８のカム回転角Θが最大の１６０度になっている状態を示している。このとき、カム８のカム突起８ａは、ドラム７のストッパ突起７ｄで止まっている。
【００５９】
＜ｂ−８＞の状態は、駆動側であるカム８が第二筐体２を第一方向で閉じ始めたときの状態を示す。このとき、カム８のカム突起８ａは、ドラム７のストッパ突起７ｄから離れ、カム８だけが回転する。
【００６０】
＜ｂ−９＞の状態は、駆動側であるカム８が回転して、カム回転角Θが５０度になった状態を示す。カム８のカム突起８ａはドラム７の突起７ｃに当接する。その後、カム８のカム突起８ａはドラム７の突起７ｃを押すので、カム８の回転に従って、ドラム７も回転する。
【００６１】
＜ｂ−１０＞の状態は、駆動側であるカム８がドラム７を押しながら回転している状態で、カム回転角Θが２０度まで戻っていないときの状態を示す。
【００６２】
＜ｂ−１１＞の状態は、駆動側であるカム８のカム回転角Θが２０度まで戻って、カム８のカム突起８ａはドラム７の突起７ｃを乗り越えたときの状態を示す。カム８のカム回転角Θが２０度まで戻ると、キーシート１３が実質的に＜ｂ−２＞で示した原点の位置に戻ったことになる。それ以上キーシート１３はスライドしないので、次第にキーシートの負荷は大きくなり、そして、キーシート１３に想定している以上の力が加わる前にカム８がドラム７に設けられた突起７ｃの傾斜を移動しながら、軸方向にドラム７からはなれる方向に回転しながら移動する。そして、カム８のカム突起８ａはドラム７の突起７ｃを乗り越える。その後、ドラム７の動きは止まるが、カム８は回転を続ける。
【００６３】
＜ｂ−１２＞の状態は、駆動側であるカム８のカム回転角Θが０度に達して、カム突起８ａがドラム７のストッパ突起７ｂに乗り上げて止まった状態を示している。この状態は、既に説明した＜ｂ−１＞の状態と同じで、カム８のカム突起８ａがドラム７の回転を止めている状態であり、従動側のドラム７は回転しないので、キーシート１３は静止している。
【００６４】
図９に、本発明の実施の形態１に係る折り畳み式携帯電話機１００の第二筐体２を第１の方向に閉じていくときの「カム回転角Θ」、「セット状態」「キーシートの位置」、「カムとドラムの位置」の関係を一覧表にして示す。なお、一覧表の一行毎に、左から右へ、一つのカム回転角Θと、対応するセット状態、キーシートの位置、カムとドラムの位置を示している。動作内容は上述した内容と同じなので説明を省略する。
【００６５】
図１０（ａ）に、第二筐体２を第１の方向に開ききったときの折り畳み式携帯電話機１００の部分断面図を示す。図１０（ａ）に示すように、ドラム７が回転することによりスライドするキーシート１３の移動量は、第一筐体１の隣り合う窓１ａの１ピッチの半分にしている。すなわち、１ピッチを「Ｐ」とすると、キーシート１３は、「Ｐ／２」だけ左に移動する。
【００６６】
図１０（ｂ）には、第二筐体２を第１の方向に開ききったときの折り畳み式携帯電話機１００の平面図を示す。なお、カム８の近傍を部分断面図で示して、ドラム７、カム８、カム８の押圧手段としてのバネ９ｂと、バネ座９ａの位置関係を示す。カム８はバネ座９ａで支えられたバネ９ｂの力でドラム７に押し当てられている。
【００６７】
折り畳み式携帯電話機１００は、第二筐体２が連結部３とともに開いているので、操作ボタンについては第一筐体１の透明な窓１ａから数字を見ることができる。図１０（ｂ）では、電話機用として文字の向きの上から第一段目に「１」、「２」、「３」と並んでいるのが見える。第二段目に「４」、「５」、「６」と並んでいる。そして、第三段目に「７」、「８」、「９」と並んでいる。第四段目に「＊」、「０」、「＃」が並んでいる。このことにより、折り畳み式携帯電話機１００の表示部５２を縦長にしたときには、電話機の数字配置としてテンキーボタンを迷うことなく押すことができる。
【００６８】
図１１は第二筐体２を連結部３とともに第一筐体１に対して閉じたときの側面図を示す。なお、第一筐体１の中を断面で示している。第一筐体１の中には、図示しない支持部によって固定されたプリント基板４があり、プリント基板４の上にはダイヤフラム５が、キーシート１３に印刷された数字および文字よりも少ない数だけ配置されている。ダイヤフラム５の上にはプッシャーシート１９が固定されている。図面では、枠部６とプッシャーシート１９の断面形状がはっきりと見えるように、誇張して描いているが、全体の実際の厚さは薄く、プッシャーシート１９を上方から押すと、たわんで、直下のダイヤフラム５の中央部をへこませるようにしている。
【００６９】
図１２（ａ）に、第二筐体２を第２の方向で開いたときの状態を示す。なお、第一筐体１は断面で示している。連結部３は第一筐体１に対して閉じたままであるが、第二筐体２が第二回動軸１０の周りに回転し、表示部５２が見える。ここで、連結部３が第一筐体１に対して閉じたままであるため、第一回動軸９及び図示しないカム８は回転していない。つまり、ドラム７は回転しておらず、キーシート１３の位置は、図１１の第二筐体２を閉じたときと同じである。
【００７０】
図１２（ｂ）に、第二筐体２を第２の方向に開いたときの折り畳み式携帯電話機１００の平面図を示す。第二筐体２が開いているので、操作ボタンについては第一筐体１の表示窓１ａから数字を見ることができる。図１２（ｂ）では、テレビチャンネル用の「１」から「１２」までの数字が、文字の向きの上から第一段目に「１」、「２」、「３」、「４」と並んでいるのが見える。第二段目に「５」、「６」、「７」、「８」と並んでいる。そして、第三段目に「９」、「１０」、「１１」、「１２」と並んでいる。このことにより、折り畳み式携帯電話機１００の表示部５２を、テレビ放送を見るための横長にしたときには、「１」から「１２」までのチャンネルのどれかを迷うことなく押すことができる。
【００７１】
上記構成により第三の筐体である連結部３が第一筐体１に対して回転する動きをカム８の動きとして、ドラム７に端部を取り付けたキーシート１３をスライドさせて、機械的に操作部の表示内容と表示する向きを切り替えているため、携帯端末装置に電源が入っていなくても、確実に操作部の表示内容と表示する向きを切り替えることができる。
【００７２】
また、携帯端末装置の一つであるテレビ受信手段をもつ携帯電話機について説明したが、ゲーム機能付き携帯電話機において、第２の方向に開いたときにはゲーム機として使えるようにゲーム用のキー配列に切り替えるようにしても良い。その他、二つの異なる方向に表示された文字については、互い違いに配置しても良い。
【００７３】
また、キーシート１３の位置精度を確保するため、キーシート１３を枠部６の内側の端面に当てることにより位置精度を出す構造にしているが、。カム８の突起部８ａをドラム７のストッパ部７ｂ、７ｄに押し当てて精度を確保しする構造にしてもよい。
【００７４】
（実施の形態２）
実施の形態１では、図１０の部分断面で示したように、第一回動軸９上に、バネ座９ａ、バネ９ｂ、カム８そしてドラム７を一列に並べた構成を示した。しかし、図１０のように第一回動軸９上に、バネ座９ａ、バネ９ｂ、カム８そしてドラム７を一列に単純に並べた構成では、これらの部分が大きなスペースを占めてしまう。そこで、本発明の実施の形態２では、ドラム７の中にバネ座９ａ、バネ９ｂ、カム８を収納してスペースを省いている。図１３にドラム７とドラム７の中に収納したバネ座９ａ、バネ９ｂ、カム８の構成を断面図として示す。また、図１４に、これらを分解して示した斜視図を示す。ドラム７の外周にキーシート１３の取り付け部１３ａを取り付けることは実施の形態１と同じである。
【００７５】
図１３と図１４に示すように、第一回動軸９は平面部を形成していて、カム８が軸方向には移動するが、第一回動軸９と連動して回転するようにしている。第一回動軸９の左端には、バネ座９ａを抜け止めリング９ｃで止めている。バネ９ｂはバネ座９ａに支えられてカム８をドラム７に押し付ける。カム８とドラム７の対向するそれぞれの面には突起部を設けている。動作については、実施の形態１と同じなので説明を省略する。
【００７６】
本発明の実施の形態２では、実施の形態１と比較して、ドラム７の中にバネ座９ａ、バネ９ｂ、カム８を収納しているため、スペースを小さくすることが出来るという効果がある。
【００７７】
（実施の形態３）
図１５に、本発明の実施の形態３に係る折り畳み式携帯電話機３００を示す。既に説明した実施の形態１では、連結部３のうち第一回動軸９を第一筐体１の厚み方向（高さ方向）で操作部面より低い位置に配置していたが、本発明の実施の形態３では、連結部３のうち第一回動軸９を第一筐体１の厚み方向で操作部面より高い位置に配置している点に特徴がある。
【００７８】
図１５（ａ）は、第二筐体を第１の方向に開いた状態を示す側面図であり、図１５（ｂ）は、第二筐体を第２の方向に開いた状態を示す側面図を示している。
【００７９】
本発明の実施の形態３に係る折り畳み式携帯電話機３００では、第一回動軸９を第一筐体１の上部に突出させているため、第一回動軸９の回転、カム８の回転、ドラム７の回転とキーシート１３のスライドの向きが実施の形態１と逆になっている。とはいえ、機能的には実施の形態１と同じ動作を行い、同様の効果が得られる。すなわち、第二筐体２を第一筐体１に対して第１の方向に開いていくと、第二筐体２の動きに合わせて第一回動軸９が回転する。そして、第一回動軸９によりカム８が回転し、カム８がドラム７を回転させ、ドラム７を回転させる。そして、ドラム７の外周面に取り付けたキーシート１３がスライドすることは、実施の形態１と同じである。
【００８０】
（実施の形態４）
本発明の実施の形態１と実施の形態３では、２つの筐体を第１の方向と第２の方向にそれぞれ開閉可能に連結した折り畳み式携帯端末装置について説明した。しかし本発明は、第一筐体に対して第二筐体を一方向にのみ開閉自在に連結した折り畳み式携帯端末装置についても適用することが出来る。
【００８１】
本発明の実施の形態４は、第一筐体に対して第二筐体を一方向にのみ開閉自在に連結した折り畳み式携帯端末装置において、第二筐体が第一筐体に対して所定の第一の開閉角度範囲では、第一の印字群を表示し、第二筐体が第一筐体に対して所定の第二の開閉角度範囲では、第二の印字群を表示したことを特徴としている。
【００８２】
本発明は、第一筐体に対して第二筐体を回動可能とする一つの回動軸を設け、第一筐体の操作部には、各キーに対応する表示窓を設けるとともに、各キーに対応する複数の文字配列を印字したキーシートを表示窓の下でスライドするように設け、第一筐体内に設けた回動軸上にはドラムを回動自在に支持して、回動軸の回転力を伝達するようにして、キーシートの一端をドラムの表面に取り付け、回動軸が所定角度だけ回転するとドラムがキーシートを巻きつけて、キーシートを所定量だけスライドさせるという構成を採っている。
【００８３】
図１６に、本発明の実施の形態４に係る折り畳み式携帯端末装置４００の斜視図を示す。なお、カムやドラム等の内部の構成は、本発明の実施の形態２と同じなので、図示および説明を省略する。
【００８４】
本発明の実施の形態３に係る折り畳み式携帯端末装置４００では、操作部５１を有する第一筐体１に対して、表示部５２を有する第二筐体２を連結部であるヒンジ部５８で開閉自在に連結している。第一筐体と第二筐体を連結しているヒンジ部５８には、第二筐体を開くと回転する回動軸５９を設け、回動軸５９の回転により回転する図示しないカムとドラムによりキーシートをスライドさせる構成は、実施の形態３と同じである。
【００８５】
実施の形態３と違うのは、表示部５２を有する第二筐体２を閉じた状態から９０度開いたときまでは、テレビ用の第一の印字群を表示し、第二筐体２を９０度を越えて開いたときは、電話機用の第二の印字群を表示している点である。
【００８６】
図１６（ａ）のように、第二筐体２を第一筐体に対して回動軸の回転角が第１の方向で０度から９０度まで開いたときは、操作部５１の文字表示をテレビ用の第一の印字群にしているので、本発明の実施の形態３に係る折り畳み式携帯端末装置４００の左側面を下にしておくと、そのままテレビ放送を見ることができる。
【００８７】
そして、図１６（ｂ）のように、第二筐体２を第一筐体に対して回動軸の回転角が第１の方向で９０度を超えて開いたときは、操作部５１の文字表示を電話機用の第二の印字群にしている。そのため、全開した状態の折り畳み式携帯端末装置４００を手で持って電話機として使うことが出来る。
【産業上の利用可能性】
【００８８】
本発明は、折り畳み式携帯電話機に限らず、表示画面を縦横に切り替えて使用するゲーム機や、テレビ受信機能を持ったＰＤＡなどにおいて、２つの回動軸を備え第１の方向と第２の方向に開閉可能に連結した折り畳み式携帯端末装置に適用できる。
【図面の簡単な説明】
【００８９】
【図１】本発明の実施の形態１に係る携帯電話機の筐体を第１の方向で開いた状態を示す斜視図
【図２】本発明の実施の形態１に係る携帯電話機の筐体を第２の方向で開いた状態を示す斜視図
【図３】本発明の実施の形態１に係る携帯電話機の操作部の要部についての分解斜視図
【図４】本発明の実施の形態１のキーシート関連部分の構造を示す斜視図
【図５】本発明の実施の形態１のキーシート関連部分の構造を示す部分断面図
【図６】（ａ）本発明の実施の形態１に係る携帯電話機の筐体を第１の方向に開いた状態を示す斜視図（ｂ）本発明の実施の形態１に係る携帯電話機のカムとドラムの動作を示す図
【図７】本発明の実施の形態１に係る携帯電話機のカム線図
【図８】（ａ）本発明の実施の形態１に係る携帯電話機の筐体を第１の方向に開いた状態を示す斜視図（ｂ）本発明の実施の形態１に係る携帯電話機のカムとドラムの動作を示す図
【図９】本発明の実施の形態１に係る携帯電話機のカム線図
【図１０】（ａ）本発明の実施の形態１に係る携帯電話機の筐体を第１の方向に開いた状態を示す断面図（ｂ）本発明の実施の形態１に係る携帯電話機の筐体を第１の方向に開いた状態を示す平面図
【図１１】本発明の実施の形態１の筐体を第１の方向に閉じたときの断面図
【図１２】（ａ）本発明の実施の形態１に係る携帯電話機の筐体を第２の方向に開いた状態を示す断面図（ｂ）本発明の実施の形態１に係る携帯電話機の筐体を第２の方向に開いた状態を示す平面図
【図１３】本発明の実施の形態２のドラムとカム周辺部の断面図
【図１４】本発明の実施の形態２のドラムとカム周辺部の分解斜視図
【図１５】（ａ）本発明の実施の形態３に係る携帯電話機の筐体を第１の方向に開いた状態を示す断面図（ｂ）本発明の実施の形態３に係る携帯電話機の筐体を第２の方向に開いた状態を示す断面図
【図１６】（ａ）本発明の実施の形態４に係る携帯電話機の筐体を９０度開いた状態を示す斜視図（ｂ）本発明の実施の形態４に係る携帯電話機の筐体を全開した状態を示す斜視図
【図１７】従来の携帯電話機の第二筐体を第１の方向に開いた状態を示す斜視図
【図１８】従来の携帯電話機の第二筐体を第２の方向に開いた状態を示す斜視図
【図１９】従来の電子機器の平面図
【図２０】従来の電子機器の部分断面図
【符号の説明】
【００９０】
１    第一筐体
２    第二筐体
３    連結部
４    プリント基板
５    ダイヤフラム
６    枠部
６ａ    スライドシートを通すための孔部
６ｂ    第１係止部
６ｃ    第２係止部
７    ドラム（第二回転体）
８    カム（第一回転体）
９    第一回動軸
１０    第二回動軸
１３    キーシート
１６    キートップシート
１９    プッシャーシート
５１    操作部
【図１】
2009200666.tif 000003
【図２】
2009200666.tif 000004
【図３】
2009200666.tif 000005
【図４】
2009200666.tif 000006
【図５】
2009200666.tif 000007
【図６】
2009200666.tif 000008
【図７】
2009200666.tif 000009
【図８】
2009200666.tif 000010
【図９】
2009200666.tif 000011
【図１０】
2009200666.tif 000012
【図１１】
2009200666.tif 000013
【図１２】
2009200666.tif 000014
【図１３】
2009200666.tif 000015
【図１４】
2009200666.tif 000016
【図１５】
2009200666.tif 000017
【図１６】
2009200666.tif 000018
【図１７】
2009200666.tif 000019
【図１８】
2009200666.tif 000020
【図１９】
2009200666.tif 000021
【図２０】
2009200666.tif 000022